(57)【特許請求の範囲】
【請求項１】
静電容量検出装置、制御ユニット、マイクロホン、及びプロンプト装置を具備したユーザ装置であって、
前記静電容量検出装置は、タッチ制御ユニットと静電容量検出ユニットを具備し、
前記タッチ制御ユニットは、前記タッチ制御ユニットが位置するタッチ領域の静電容量変化を感知するように構成され、前記マイクロホンは、前記タッチ領域に配置され、
前記静電容量検出ユニットは、前記タッチ制御ユニットに電気的に接続され、前記静電容量検出ユニットは、前記タッチ制御ユニットにより感知された前記静電容量変化に従って前記タッチ領域の静電容量値を測定し、前記静電容量値を前記制御ユニットに送信し、
前記制御ユニットは、前記静電容量値が第１プリセット値以上であるかどうかを判定し、肯定であるならば、前記マイクロホンがブロックされたと判定し、プロンプト情報を送信するように前記プロンプト装置を制御し、
前記タッチ制御ユニットには、開放孔が形成され、前記開放孔は、前記マイクロホンの音声伝達孔に位置合わせされており、
前記タッチ制御ユニットは、第１タッチ制御部と第２タッチ制御部を具備し、
前記第１タッチ制御部と前記第２タッチ制御部は、互いに対向するように配置されて前記開放孔を形成し、
前記静電容量検出ユニットは、相互容量方式を使用するタッチスクリーンチップであり、前記タッチスクリーンチップの送信端は、前記第１タッチ制御部に電気的に接続され、前記タッチスクリーンチップの受信端は、前記第２タッチ制御部に電気的に接続される
ことを特徴とするユーザ装置。
【請求項２】
第１コネクタをさらに具備し、
前記第１コネクタの一端は、接続線を用いて前記タッチ制御ユニットに接続され、前記第１コネクタの他端は、前記ユーザ装置のメインボード上の第２コネクタに電気的に接続され、
前記静電容量検出ユニットは、前記第２コネクタに電気的に接続される
ことを特徴とする請求項１に記載のユーザ装置。
【請求項３】
前記タッチ制御ユニット、前記接続線、及び前記第１コネクタは、フレキシブル回路基板上に配置されることを特徴とする請求項２に記載のユーザ装置。
【請求項４】
前記プロンプト装置は、スピーカ、バイブレータ、又は前記ユーザ装置上の表示画面のうちの少なくとも１つを具備することを特徴とする請求項１から３のいずれか一項に記載のユーザ装置。
【発明の詳細な説明】
【技術分野】
【０００１】
本発明の実施形態は、通信技術の分野に関連し、具体的には、ユーザ装置に関する。
【背景技術】
【０００２】
ユーザ装置の持続的な開発に伴い、人々はより高品質の音声通話を要求する。現在、スマートホンなどのユーザ装置は、通常マイクロホン(Microphone, 略してMIC)を使用して音声を収集する。前記マイクロホンは、通常、前記ユーザ装置の前面の下部に配置される。その結果、音声通話中に人が会話をする場合に、マイクロホンが指で簡単にブロックされ、相手が聴取する音声は比較的小さいか、又は音声をはっきりと聴取することができない。
【０００３】
従来のユーザ装置では、マイクロホンの外部開口部に拡張溝(expansion groove)が設けられており、マイクロホンの音声伝達孔の外部開口を拡張することに等しい。このような構造改良により、アンチブロッキングの機能が達成される。しかし、このような構造改良は、マイクロホンのブロッキング率を低下させるだけであり、マイクロホンのブロッキングの問題を完全には解決しない。
【発明の概要】
【課題を解決するための手段】
【０００４】
本発明は、マイクロホンがブロックされているかどうかを確実に検出するためのユーザ装置を提供する。
【０００５】
第１の態様によれば、本発明の実施形態は、静電容量検出装置、制御ユニット、マイクロホン、及びプロンプト装置を含むユーザ装置を提供し、前記静電容量検出装置は、タッチ制御ユニットと静電容量検出ユニットとを含み、前記タッチ制御ユニットは、前記タッチ制御ユニットが配置されているタッチ領域の静電容量変化を感知するように構成され、前記マイクロホンは、前記タッチ領域に配置され、前記静電容量検出ユニットは、前記タッチ制御ユニットに電気的に接続され、前記静電容量検出ユニットは、前記タッチ制御ユニットにより感知された前記静電容量変化に従って前記タッチ領域の静電容量値を測定し、前記静電容量値を前記制御ユニットに送信し、前記制御ユニットは、前記静電容量値が第１プリセット値以上であるかどうかを判定し、肯定であるならば、前記マイクロホンがブロックされていると判定し、プロンプト情報を送信するように前記プロンプト装置を制御する。
【０００６】
第１の態様に関連し、第１の態様の第１の可能な実装様式において、前記ユーザ装置は、第１コネクタをさらに含み、前記第１コネクタの一端は、接続線を用いて前記タッチ制御ユニットに接続され、前記第１コネクタの他端は、前記ユーザ装置のメインボード上の第２コネクタに電気的に接続され、前記静電容量検出ユニットは、前記第２コネクタに電気的に接続される。
【０００７】
第１の態様の第１の可能な実装様式に関連し、第１の態様の第２の可能な実装様式において、前記タッチ制御ユニット、前記接続線、及び前記第１コネクタは、フレキシブル回路基板上に配置される。
【０００８】
第１の態様、又は第１の態様の第１の可能な実装様式、若しくは第２の可能な実装様式に関連し、第１の態様の第３の可能な実装様式において、前記タッチ制御ユニットには、開放孔が形成され、前記開放孔は、前記マイクロホンの音声伝達孔に位置合わせされている。
【０００９】
第１の態様、又は第１の態様の第１の可能な実装様式、若しくは第２の可能な実装様式に関連し、第１の態様の第４の可能な実装様式において、前記タッチ制御ユニットは、第１タッチ制御部と第２タッチ制御部とを含み、前記第１タッチ制御部と前記第２タッチ制御部は、互いに対向するように配置されて開放孔を形成し、前記開放孔は、前記マイクロホンの音声伝達孔に位置合わせされている。
【００１０】
第１の態様の第４の可能な実装様式に関連し、第１の態様の第５の可能な実装様式において、前記静電容量検出ユニットは、タッチスクリーンチップであり、前記タッチスクリーンチップの送信端は、前記第１タッチ制御部に電気的に接続され、前記タッチスクリーンチップの受信端は、前記第２タッチ制御部に電気的に接続される。
【００１１】
第１の態様、又は第１の態様の第１の可能な実装様式、若しくは第２の可能な実装様式、若しくは第３の可能な実装様式、若しくは第４の可能な実装様式、若しくは第５の可能な実装様式に関連し、第１の態様の第６の可能な実装様式において、前記プロンプト装置は、スピーカ、バイブレータ、又は前記ユーザ装置上の表示画面のうちの少なくとも１つを含む。
【００１２】
第２の態様によれば、本発明の実施形態は、スイッチ装置、制御ユニット、マイクロホン、及びプロンプト装置を含みユーザ装置を提供し、前記スイッチ装置は、弾性部と接続部材とを含み、
前記弾性部は、前記ユーザ装置の筐体に配置され、前記弾性部は、前記マイクロホンの音声伝達孔に位置合わせされ、前記接続部材は、前記制御ユニットと電気的に接続され、前記弾性部と前記接続部材との間に隙間があり、接触物体が前記弾性部に圧力を加えると、前記弾性部が前記接続部材に接触し、プリセットレベル値が生成され、前記制御ユニットは、前記検出されたプリセットレベル値に従って、前記マイクロホンがブロックされたと判定し、プロンプト情報を送信するように前記プロンプト装置を制御する。
【００１３】
第２の態様に関連し、第２の態様の第１の可能な実装様式において、前記弾性部には開放孔が形成され、前記開放孔は、前記マイクロホンの前記音声伝達孔に位置合わせされている。
【００１４】
第２の態様、又は第２の態様の第１の可能な実装様式に関連し、第２の態様の第２の可能な実装様式において、前記接続部材は、接続線を用いて前記制御ユニットの汎用入出力GPIOに接続される。
【００１５】
第２の態様、又は第２の態様の第１の可能な実装様式若しくは第２の可能な実装様式に関連し、第２の態様の第３の可能な実装様式において、前記プロンプト装置は、スピーカ、バイブレータ、又は前記ユーザ装置上の表示画面のうちの少なくとも１つを含む。
【００１６】
本発明の実施形態は、静電容量検出装置、制御ユニット、マイクロホン、及びプロンプト装置を含むユーザ装置を提供し、前記静電容量検出装置は、タッチ制御ユニットと静電容量検出ユニットとを含み、前記タッチ制御ユニットは、前記タッチ制御ユニットが配置されているタッチ領域の静電容量変化を感知するように構成され、前記マイクロホンは、前記タッチ領域に配置され、前記静電容量検出ユニットは、前記タッチ制御ユニットに電気的に接続され、前記静電容量検出ユニットは、前記タッチ制御ユニットにより感知された前記静電容量変化に従って前記タッチ領域の静電容量値を測定し、前記静電容量値を前記制御ユニットに送信し、前記制御ユニットが、前記静電容量値が第１プリセット値以上である、と判定したならば、前記制御ユニットは、前記マイクロホンがブロックされている、と判定し、プロンプト情報を送信するように前記プロンプト装置を制御する。前記ユーザ装置は、測定された静電容量値に従って、前記マイクロホンがブロックされているかどうかを正確に判定し、それにより、現在行われている音声通話がよりスムーズとなる。
【００１７】
本発明の実施形態の技術的解決策又は従来技術の技術的解決策を明確に説明するために、以下に、実施形態又は従来技術の説明に用いる必要がある添付の図面を簡単に説明する。明らかに、以下の説明における添付の図面は、本発明の一部の実施形態にすぎない。他の添付の図面は、これらの添付の図面に従って、従来技術の当業者により、創造的な努力をすることなく得ることができる。
【図面の簡単な説明】
【００１８】
【図１】図１は、本発明の実施例１に係る静電容量検出装置とマイクロホンとを併用した場合の模式図である。
【図２】図２は、本発明の実施例１に係る静電容量検出装置の概略構成図である。
【図３】図３は、本発明の実施例２に係る静電容量検出原理のブロック図である。
【図４】図４は、本発明の実施例３に係る静電容量検出装置の概略構成図である。
【図５】図５は、本発明の実施例３に係る同一のタッチスクリーンチップを共有する原理を示すブロック図である。
【図６】図６は、本発明の実施例４に係るスイッチ装置とマイクロホンとを併用した場合の模式図である。
【図７】図７は、本発明の実施例４に係るスイッチ装置を用いてマイクブロッキングを検出する原理を示す図である。
【発明を実施するための形態】
【００１９】
以下では、本発明の実施形態における添付の図面を参照しながら、本発明の実施形態における技術的解決策をより明確にかつ完全に説明する。説明される実施形態は、本発明の実施形態のすべてではなく、単にいくつかの実施形態を示すものにすぎないことは明らかである。本発明の実施形態に基づき当業者が創造的な取り組み無しに得られる他のすべての実施形態は、本発明の保護範囲に含まれるものとする。
【００２０】
従来技術におけるユーザ装置上のマイクロホンブロッキングの問題を解決するために、本発明の実施形態は、ユーザ装置を提供する。ユーザ装置は、ユーザがユーザ装置を使用して、マイクロホンを指、顔などで塞いでいるシナリオに適用される。ユーザ装置は、スマートホン、タブレットコンピュータなどであり得る。ユーザ装置は、静電容量検出装置、制御ユニット、マイクロホン、及びプロンプト装置を含む。静電容量検出装置は、タッチ制御ユニットと静電容量検出ユニットとを含む。静電容量検出ユニットの２端は、タッチ制御ユニットと制御ユニットとに別々に電気的に接続されている。図１は、本発明の実施例１に係る静電容量検出装置とマイクロホンとを併用した場合の模式図である。図１に示すように、タッチ制御ユニット１０１上に開放孔１０２が形成されている。開放孔１０２は、マイクロホン１０３の音声伝達孔に位置合わせされており、すなわち、タッチ制御ユニット１０１は、マイクロホン１０３に対応する。タッチ制御ユニット１０１は、第１コネクタ１０４を用いて静電容量検出ユニット１０５と電気的に接続されている。
【００２１】
以下では、静電容量検出装置の具体的な構成について説明する。
【００２２】
図２は、本発明の実施例１に係る静電容量検出装置の概略構成図である。静電容量検出装置は、タッチ制御ユニット１０１と静電容量検出ユニット１０５とを含む。図１と図２を参照すると、静電容量検出装置によるマイクロホンブロッキングの検出処理は、タッチ制御ユニット１０１に指が接触した後、タッチ制御ユニット１０１は、タッチ制御ユニット１０１が配置されるタッチ領域の静電容量変化を感知する。この場合において、静電容量検出ユニット１０５は、タッチ制御ユニット１０１により感知された静電容量変化に従って、タッチ領域の静電容量値を測定し、測定された静電容量値を制御ユニットに送信する。制御ユニットが、静電容量値が第１プリセット値以上である、と判定するならば、制御ユニットは、物体がタッチ制御ユニットに接触したと判定する。マイクロホン１０３は、タッチ領域に配置されているため、物体がマイクロホン１０３をブロックしたことを示し、制御ユニットは、プロンプト情報を送信するようにプロンプト装置を制御する。さらに、図２に示されているように、タッチ制御ユニット１０１は、第１コネクタ１０４を用いて静電容量検出ユニット１０５と電気的に接続されており、具体的な接続様式は、第１コネクタ１０４の一端は、接続線１０６を用いてタッチ制御ユニット１０１と接続されており、第１コネクタ１０４の他端は、ユーザ装置のメインボード上の第２コネクタと電気的に接続されている。タッチ制御ユニット１０１上に開放孔１０２が形成されている。タッチ制御ユニット１０１、接続線１０６、及び第１コネクタ１０４は、フレキシブル回路基板上に配置される。静電容量検出ユニット１０５は、第２コネクタと電気的に接続されている。別の接続線により生成される規制容量を低減するために、静電容量検出ユニット１０５とフレキシブル回路基板は、可能な限り互いに接近させるべきである。さらに、干渉源は、磁場を集中させる鋭角を有する長方形で形成されているため、本発明のこの実施形態において提供されるタッチ制御ユニット１０１は、角が丸い長方形である。タッチ制御ユニット１０１は、接続線１０６を用いてフレキシブル回路基板上の第１コネクタ１０４と接続され、グリッドを中心に接地配線処理が行われている。両面テープがフレキシブル回路基板の裏側に接着されているので、取り付け時に、フレキシブル回路基板は、スマートホンの後部筐体の内側に接着され得、スマートホンのマイクロホンのゴムスリーブとスマートホンの後部筐体の間に配置され得る。このように、スマートホンの外観に影響を与えず、優れた静電気放電(Electro-Static discharge, 略してESD)能力が達成され、タッチ制御ユニット１０１は、必要に応じてフレキシブル回路基板を変形させることができるので、マイクロホンに対応することができる。
【００２３】
任意選択で、プロンプト装置は、スピーカ、バイブレータ、又はユーザ装置上の表示画面のうちの少なくとも１つを含む。したがって、プロンプト情報は、それに応じて音声プロンプト、振動プロンプト、文字プロンプトなどであってよい。例えば、音声情報では、「注意、マイクロホンがブロックされています」であり得る。制御ユニットは中央処理装置(Central Processing Unit, 略してCPU)であってもよいことは容易に理解され得る。
【００２４】
本発明のこの実施形態におけるタッチ制御ユニットは、金属材料からなる金属コイルであってもよい。例えば、タッチ制御ユニットは、銅コイルであってもよい。電流又は信号を伝送するように構成されたコネクタは、２つの能動デバイスを接続できる限り第１コネクタと第２コネクタとして使用され得る。もちろん、静電容量変化を生成できる別の構成要素、例えば、タッチパッドを使用してもよい。また、静電容量検出ユニットはチップであってもよい。
【００２５】
本発明のこの実施形態は、静電容量検出装置、制御ユニット、マイクロホン、及びプロンプト装置を含むユーザ装置を提供し、静電容量検出装置は、タッチ制御ユニットと静電容量検出ユニットとを含み、タッチ制御ユニットは、タッチ制御ユニットが配置されるタッチ領域の静電容量変化を感知するように構成されており、マイクロホンは、タッチ領域に配置され、静電容量検出ユニットは、タッチ制御ユニットに電気的に接続され、静電容量検出ユニットは、タッチ制御ユニットにより感知された静電容量変化に従ってタッチ領域の静電容量値を測定し、静電容量値を制御ユニットに送信し、制御ユニットは、静電容量値が第１プリセット値以上であるかどうかを判定し、肯定であるならば、マイクロホンがブロックされていると判定し、プロンプト情報を送信するようにプロンプト装置を制御する。このようにして、マイクロホンブロッキングの問題が完全に解決され、現在行われている音声通話が円滑になる。
【００２６】
図３は、本発明の実施例２に係る静電容量検出原理のブロック図である。図３におけるチップのモデルは、CY8CMBR3108である。このチップは、図１、２で説明された静電容量検出ユニットとして使用され得る。図３に示されているように、CS0、CS1、及びCS2は、タッチ制御ユニットを表し、それぞれピンCS0/PS0、CS1/PS1、及びCS2/PS2を使用してチップCY8CMBR3108と電気的に接続されている。I2C_SCLとI2C_SDAは、制御ユニットと通信するI2C信号であり、TO_HOSTは、制御ユニットと通信する割込み信号である。指がタッチ制御ユニットCS0、CS1、又はCS2に接触すると、CY8CMBR3108は、静電容量値を測定する。静電容量値が増加していることが分かると、CY8CMBR3108は、割込み信号TO_HOSTを使用して制御ユニットに通知し、相互集積回路(Inter-Integrated Circuit, 略してIIC)バスを用いて制御ユニットと情報を交換し、例えば、測定された静電容量値を制御ユニットに送信する。制御ユニットは、静電容量値が第１プリセット値以上であるかどうかを判定し、肯定であるならば、制御ユニットは、ユーザにプロンプト情報を送信するようにプロンプト装置を制御する。
【００２７】
静電容量検出原理に基づいて、本発明の実施形態は、静電容量検出装置をさらに提供し、詳細は以下の通りである。
【００２８】
図４は、本発明の実施例３に係る静電容量検出装置の概略構成図である。図４に示されているように、静電容量検出装置は、タッチ制御ユニットと静電容量検出ユニット４００とを含む。タッチ制御ユニットは、第１タッチ制御部４０１と第２タッチ制御部４０２とを含む。第１タッチ制御部４０１と第２タッチ制御部４０２は、互いに対向するように配置されて開放孔４０３を形成する。開放孔４０３は、マイクロホンの音声伝達孔に位置合わせされている。さらに、静電容量検出ユニット４００は、タッチスクリーンチップであり得る。タッチスクリーンチップの送信端は、第１タッチ制御部に電気的に接続され、タッチスクリーンチップの受信端は、第２タッチ制御部に電気的に接続される。静電容量検出装置とマイクロホンとの協働は、図１に示したものと同様である。第１タッチ制御部４０１と第２タッチ制御部４０２はタッチ領域の静電容量変化を感知するように構成されている。第１コネクタ４０４の一端は、２つの接続線４０５を用いて第１タッチ制御部４０１と第２タッチ制御部４０２に接続されており、第１コネクタ４０４の他端は、ユーザ装置のメインボード上の第２コネクタに電気的に接続されている。第１タッチ制御部４０１、第２タッチ制御部４０２、第１コネクタ４０４、及び２つの接続線４０５は、フレキシブル回路基板上に配置されている。静電容量検出ユニット４００は、第２コネクタに電気的に接続されている。静電容量検出ユニット４００、すなわち、タッチスクリーンチップは、少なくとも１つの送信端(Transmit, 略してTX)と少なくとも１つの受信端(Receive, 略してRX)を含む。送信端TXは、第２コネクタ、第１コネクタ４０４、及び接続線４０５を順に用いて第１タッチ制御部４０１と接続され、受信端RXは、第２コネクタ、第１コネクタ４０４、及び接続線４０５を順に用いて第２タッチ制御部４０２と接続されている。送信端及び受信端は、タッチスクリーンチップの別の送信端及び受信端とは独立している。
【００２９】
本発明のこの実施形態における第１タッチ制御部と第２タッチ制御部は、金属ワイヤで構成されてもよく、両者の間に開放孔が形成されるように半円状に形成されてもよい。同様に、静電容量値を生成することができる他の構成要素を使用してもよい。電流又は信号を伝送するように構成されているコネクタは、２つの能動デバイスを接続できる限り第１コネクタ及び第２コネクタとして使用することができる。接続線は、銅線であってもよい。
【００３０】
本発明のこの実施形態は、第１タッチ制御部、第２タッチ制御部、及び静電容量検出ユニットを含む静電容量検出装置を提供する。第１タッチ制御部と第２タッチ制御部との間には開放孔があり、開放孔は、マイクロホンの音声伝達孔に位置合わせされている。音声伝達孔が物体によってブロックされると、静電容量検出ユニットは、マイクロホンの位置の静電容量値が増加したことを検出する。この場合、タッチスクリーンチップは、測定された静電容量値を制御ユニットに送信する。制御ユニットは、静電容量値に従って、マイクロホンがブロックされているかどうかを判定し、肯定であるならば、制御ユニットは、マイクロホンがブロックされていることをユーザにプロンプトするようにプロンプト装置を制御する。したがって、マイクロホンブロッキングの問題が解決され、現在行われている音声通話が円滑になる。図４に示されている静電容量検出装置と図２に示されている静電容量検出装置との主な相違点は、図４に示されている静電容量検出装置は、静電容量検出ユニットを別途設ける必要がないが、スマートホンのタッチスクリーンと同一のチップ、すなわちタッチスクリーンチップを共有することができる、ことである。タッチスクリーンチップは、相互キャパシタンス原理を使用する。タッチスクリーンチップが複数の受信端と送信端を含んでいるため、タッチスクリーンの設計において、タッチスクリーンチップの１つの受信端と１つの送信端は、マイクロホンのアンチブロッキング検出のために予約され得る。図５は、本発明の実施例３に係る同一のタッチスクリーンチップを共有する原理を示すブロック図である。図５に示されているように、タッチスクリーンチップの受信端RXと送信端TXは、静電容量検出装置の第１コネクタに接続されている。図４に関連し、第１コネクタは、接続線を用いて第１タッチ制御部と第２タッチ制御部と接続されており、第１タッチ制御部とタッチスクリーンチップとの間、及び第２タッチ制御部とタッチスクリーンチップとの間の電気的接続が、最終的に実現される。
【００３１】
上述したすべての実施形態において、マイクロホンが指でブロックされているかどうかは、静電容量変化に従って検出される。指がマイクロホンに接触すると、指とタッチ制御ユニットは、単純な平行平板コンデンサを形成する。静電容量検出装置の寄生容量がCp、指の静電容量がCfである場合、マイクロホンが指によりブロックされていない場合には、タッチ制御ユニットの総容量は、Cx = Cpであり、マイクロホンが指によりブロックされている場合には、タッチ制御ユニットの総容量は、Cx = Cp + Cfである。したがって、上述の静電容量検出装置は、すべて静電容量変化に従ってマイクロホンがブロックされているかどうかを検出する。
【００３２】
本発明の実施例４は、ユーザ装置を提供する。ユーザ装置は、スイッチ装置、制御ユニット、マイクロホン、及びプロンプト装置を含む。スイッチ装置は、弾性部と接続部材を含む。弾性部は、ユーザ装置の筐体に配置され、弾性部は、マイクロホンの音声伝達孔に位置合わせされ、接続部材は、制御ユニットと電気的に接続される。弾性部と接続部材との間に隙間がある。接触物体が弾性部に圧力を加えると、弾性変形により弾性部が接続部材に接触し、プリセットレベル値「０」が生成される。制御ユニットは、検出されたプリセットレベル値に従って、マイクロホンがブロックされたと判定し、プロンプト情報を送信するようにプロンプト装置を制御する。任意選択で、プロンプト装置は、スピーカ、バイブレータ、又はユーザ装置上の表示画面のうちの少なくとも１つを含む。したがって、プロンプト情報は、それに応じて音声プロンプト、振動プロンプト、文字プロンプトなどであってよい。
【００３３】
さらに、図６は、本発明の実施例４に係るスイッチ装置とマイクロホンとを併用した場合の模式図である。図６に示されているように、スイッチ装置は、弾性部６０１と接続部材６０２とを含む。弾性部６０１には開放孔が形成され、開放孔は、マイクロホンの音声伝達孔に位置合わせされている。弾性部６０１は、ユーザ装置の筐体に固定され、筐体を用いて確実に設置することができる。接続部材６０２は、ユーザ装置のメインボード上に配置され、接続線を用いて制御ユニットの汎用入出力(General Purpose Input Output, 略してGPIO)に接続されている。弾性部６０１は、金属製の弾性部、例えば、銅製の弾性部であってもよい。接続部材６０２は、金属製の接続部材、例えば、銅製の接続部材であってもよい。図７は、本発明の実施例４に係るスイッチ装置を用いてマイクブロッキングを検出する原理を示す図である。図７に示されているように、スイッチ装置７０１は、一端が筐体を用いて接地され、他端は、制御ユニット７０２のGPIOに接続されている。スイッチ装置７０１が押される、すなわち、弾性部が接続部材に接触すると、回路全体が接地され、すなわち、回路上の電圧が０Ｖであり、対応する論理レベル値は「０」である。この場合には、制御ユニット７０２は、検出されたプリセットレベル値に従って、マイクロホンがブロックされたと判定し、ユーザにプロンプト情報を送信するようにプロンプト装置を制御する。
【００３４】
本発明のこの実施形態の制御ユニットは、中央処理装置(Central Processing Unit, 略してCPU)であってよい。
【００３５】
本発明のこの実施形態は、スイッチ装置、制御ユニット、マイクロホン、及びプロンプト装置を含むユーザ装置を提供し、マイクロホンが指によりブロックされた場合、弾性部が接続部材に接触し、制御ユニットが、検出されたプリセットレベル値に従って、マイクロホンがブロックされたと判定し、プロンプト情報をユーザに送信するようにプロンプト装置を制御し、それにより、現在行われている音声通話がよりスムーズとなる。
【００３６】
最後に、前述の実施形態が、単に、本発明の技術的解決策を説明するためのものであって、本発明を限定するためのものではないことに留意されたい。本発明が、前述の実施形態を参照して詳細に説明されたが、当業者は、本発明の実施形態の技術的解決策の範囲から逸脱せずに、彼らが前述の実施形態において説明された技術的解決策に対する変更を行い、あるいは、それらのいくつかのまたはすべての技術的特徴に対する同等の置換を行うことができることを理解するに違いない。
【符号の説明】
【００３７】
１０１  タッチ制御ユニット
１０２  開放孔
１０３  マイクロホン
１０４  コネクタ
１０５  静電容量検出ユニット
１０６  接続線
４００  静電容量検出ユニット
４０１  タッチ制御部
４０２  タッチ制御部
４０３  開放孔
４０４  コネクタ
４０５  接続線
６０１  弾性部
６０２  接続部材
７０１  スイッチ装置
７０２  制御ユニット
【図１】
0006702592.tif 000002
【図２】
0006702592.tif 000003
【図３】
0006702592.tif 000004
【図４】
0006702592.tif 000005
【図５】
0006702592.tif 000006
【図６】
0006702592.tif 000007
【図７】
0006702592.tif 000008